【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
−  相対する端部、収縮した小型のプロファイル、膨張した大型のプロファイルおよび作用長さ部を有する膨張可能部材と、
−  相対する端部を有し、収縮した膨張可能部材の相対する端部間の任意の位置まで摺動可能なリング部材と、
を具備する医療デバイスであって、
前記リング部材の相対する端部の一方の直径が増大する場合において、前記リング部材の相対する端部の他方の直径は、膨張可能部材が膨張すると縮小するようになる、医療デバイス。
【請求項２】
相対する端部の一方におけるリング部材の直径が、膨張可能部材によって増大させられる、請求項１に記載の医療デバイス。
【請求項３】
前記リング部材の前記相対する端部の一方の直径が縮小することによって、前記膨張可能部材の一部の膨張が制限される、請求項１に記載の医療デバイス。
【請求項４】
前記膨張可能部材が長尺部材にわたって配置されている、請求項１に記載の医療デバイス。
【請求項５】
前記リング部材の相対する端部の直径が縮小することによって、前記相対する端部が前記長尺部材に対して収縮するようになる、請求項１に記載の医療デバイス。
【請求項６】
前記リング部材の相対する端部が前記長尺部材に対して収縮する結果として、前記膨張可能部材の少なくとも一方の端部が封止されるようになる、請求項５に記載の医療デバイス。
【請求項７】
前記リング部材の相対する端部の直径が縮小するのに従って、前記リング部材の相対する端部が前記長尺部材に対してさらに収縮し、その結果として、前記膨張可能部材の少なくとも一方の端部がより緊密に封止されるようになる、請求項６に記載の医療デバイス。
【請求項８】
前記リング部材の相対する端部の一方の直径が縮小することによって、前記リング部材の軸線方向の移動が制限される、請求項１に記載の医療デバイス。
【請求項９】
前記リング部材の位置によって前記作用長さ部が調整される、請求項１に記載の医療デバイス。
【請求項１０】
前記リング部材の位置によって前記作用長さ部が調整される、請求項１に記載の医療デバイス。
【請求項１１】
−  相対する端部、収縮した小型のプロファイル、膨張した大型のプロファイルおよび作用長さ部を有する膨張可能部材と、
−  相対する端部を有するリング部材と、
を具備する医療デバイスであって、
前記リング部材は、前記膨張可能部材の相対する端部間に位置しており、
前記リング部材の相対する端部の一方における直径が増大する結果として、前記リング部材の相対する端部の他方において圧縮力が作用するようになる、医療デバイス。
【請求項１２】
相対する端部の一方における前記リング部材の直径が、前記膨張可能部材によって増大させられる、請求項１１に記載の医療デバイス。
【請求項１３】
前記圧縮力が、前記リング部材の相対する端部の一方の直径が増大することによってもたらされる、請求項１１に記載の医療デバイス。
【請求項１４】
前記リング部材の前記相対する端部の一方の前記圧縮力によって、前記リング部材の軸線方向の移動が制限される、請求項１１に記載の医療デバイス。
【請求項１５】
前記リング部材の前記相対する端部の一方の前記圧縮力によって、前記膨張可能部材の一部の膨張が制限される、請求項１１に記載の医療デバイス。
【請求項１６】
前記膨張可能部材が長尺部材にわたって配置されている、請求項１５に記載の医療デバイス。
【請求項１７】
前記圧縮力によって、前記リング部材の前記相対する端部が前記長尺部材に対して収縮するようになる、請求項１６に記載の医療デバイス。
【請求項１８】
前記リング部材の前記相対する端部の直径が縮小するのに従って、前記リング部材の前記相対する端部が前記長尺部材に対してさらに収縮し、その結果として、前記膨張可能部材の少なくとも一方の端部がより緊密に封止されるようになる、請求項１７に記載の医療デバイス。
【請求項１９】
前記リング部材の位置によって前記膨張可能部材の作用長さ部が調整される、請求項１１に記載の医療デバイス。
【請求項２０】
膨張可能部材の作用長さ部を調整する調整方法であって、
−  長さ部を有する膨張可能部材に少なくとも１つのリング部材を配置することを含み、
なお、前記少なくとも１つのリング部材は相対する端部を有しており、前記少なくとも１つのリング部材の相対する端部の一方の直径が増大する場合において、前記少なくとも１つのリング部材の相対する端部の他方の直径は、膨張可能部材が膨張すると縮小するようになっており、
さらに、
−  前記少なくとも１つのリング部材を予め定められた位置まで前記膨張可能部材の前記長さ部に沿って摺動させることを含む、調整方法。
【請求項２１】
前記少なくとも１つのリング部材の相対する端部の一方の直径を増大させる結果として、前記リング部材の相対する端部の他方において圧縮力がもたらされる、請求項２０に記載の調整方法。
【請求項２２】
前記少なくとも１つのリング部材の相対する端部の前記一方の直径が、前記膨張可能部材によって増大させられる、請求項２０に記載の調整方法。
【請求項２３】
２つのリング部材が前記膨張可能部材に配置されている、請求項２０に記載の調整方法。
【請求項２４】
前記少なくとも１つのリング部材の相対する端部の前記一方の直径が縮小することによって、前記膨張可能部材の一部の膨張が制限される、請求項２０に記載の調整方法。
【請求項２５】
前記膨張可能部材が長尺部材にわたって配置されている、請求項２０に記載の調整方法。
【請求項２６】
前記少なくとも１つのリング部材の相対する端部の直径が縮小することによって、前記相対する端部が前記膨張可能部材および前記長尺部材に対して収縮するようになる、請求項２５に記載の調整方法。
【請求項２７】
前記少なくとも１つのリング部材の相対する端部が前記長尺部材に対して収縮する結果として、前記膨張可能部材の少なくとも一方の端部が封止されるようになる、請求項２６に記載の調整方法。
【請求項２８】
前記少なくとも１つのリング部材の相対する端部の直径が縮小するのに従って、前記リング部材の前記相対する端部が前記長尺部材に対してさらに収縮し、その結果として、前記膨張可能部材の少なくとも一方の端部がより緊密に封止されるようになる、請求項２５に記載の調整方法。
【請求項２９】
前記リング部材の前記相対する端部の一方の直径が縮小することによって、前記リング部材の軸線方向の移動が制限される、請求項２０に記載の調整方法。
【請求項３０】
−  相対する端部、収縮した小型のプロファイル、膨張した大型のプロファイルおよび作用長さ部を有する医療用バルーンと、
−  相対する端部を有するリング部材と、を具備する医療用ステント挿入システムであって、
前記リング部材の相対する端部の一方の直径が増大する結果として、前記リング部材の相対する端部の他方において圧縮力がもたらされるようになっており、
前記リング部材は、前記医療用バルーンの相対する端部間に位置しており、
さらに、
−  予め定められる長さに調整されうるカスタマイズ可能なステント、を具備する、医療用ステント挿入システム。
【請求項３１】
前記リング部材の位置によって前記医療用バルーンの作用長さ部が調整される、請求項３０に記載の医療用ステント挿入システム。
【請求項３２】
前記カスタマイズ可能なステントが前記医療用バルーンの作用長さ部にわたって配置されている、請求項３０に記載の医療用ステント挿入システム。
【請求項３３】
前記医療用バルーンが長尺部材にわたって配置されている、請求項３０に記載の医療用ステント挿入システム。
【請求項３４】
前記カスタマイズ可能なステントが、ポリマーウェブにより相互連結されたステントリングを含む、請求項３０に記載の医療用ステント挿入システム。
【請求項３５】
前記カスタマイズ可能なステントが、前記ポリマーウェブを切断するとともにステントリングを除去することによってカスタマイズされる、請求項３４に記載の医療用ステント挿入システム。
【請求項３６】
第１の端部および第２の端部を有していて、前記第１の端部の直径が増大する場合に、前記第２の端部の直径が縮小するようになる、ピボットリング。
【請求項３７】
−  相対する端部、収縮した小型のプロファイル、膨張した大型のプロファイル、および作用長さ部を有していて、薬剤が配置される膨脹可能部材と、
−  相対する端部を有し、収縮した膨張可能部材の相対する端部間の任意の位置まで摺動可能なリング部材と、
を具備する、薬剤溶出デバイスであって、
前記リング部材の相対する端部の一方の直径が増大する場合において、前記リング部材の相対する端部の他方の直径は、膨張可能部材が膨張すると縮小するようになっている、
薬剤溶出デバイス。
【請求項３８】
−  相対する端部、収縮した小型のプロファイル、膨張した大型のプロファイル、および作用長さ部を有していて、少なくとも１つの薬剤を含むカバーが配置される膨張可能部材と、
−  相対する端部を有し、収縮した膨張可能部材の相対する端部間の任意の位置まで摺動可能なリング部材と、
を具備する薬剤溶出デバイスであって、
前記リング部材の相対する端部の一方の直径が増大する場合において、前記リング部材の相対する端部の他方の直径は、膨張可能部材が膨張すると縮小するようになっている、
薬剤溶出デバイス。
【請求項３９】
膨張可能部材を封止するリングにおいて、
−  第１の端部、第２の端部、肉厚部、直径部および長さ部を有するリングを具備しており、前記リングは該リングを貫通する内腔をさらに有しており、
さらに、
−  前記リングの前記第１の端部において前記リングの肉厚部を通って前記リングの長さ部の少なくとも一部まで延在する複数のスリットと、
−  前記複数のスリットの間に配置される前記リングの第１の端部に設けられる複数の指部と、
−  前記リングの前記第２の端部において前記リングの肉厚部を通って前記リングの長さ部の少なくとも一部まで延在していて、前記スリットに対して周方向にオフセットされるとともに、前記リングの長さ部まで延在していて前記スリットと少なくとも部分的に重なり合うようになっており、それにより、前記リング内部にピボット領域を形成する複数の間隙と、
−  前記間隙の間に配置された前記リングの第２の端部に設けられる、複数のリング部材と、
を具備する、リング。
【請求項４０】
前記リングの前記内腔を貫通する膨張可能部材をさらに具備する、請求項３９に記載の膨張可能部材を封止するリング。